(57)【特許請求の範囲】
【請求項１】
伝達情報を表示した複数の帳票部が一方向に連接され、各連接ラインが交互に反対方向に折り返されることにより各前記帳票部が重ねられ、かつ、同一方向に折り返された連接ライン群のうち少なくとも一方の前記連接ライン群の各前記連接ラインが厚み方向において所定量ずれるように配置される内部紙部と、
前記内部紙部の前記帳票部の連接方向と同一方向に前記内部紙部に連接され、折りたたまれた前記内部紙部を覆うように折り返される外部紙部と、
前記内部紙部及び前記外部紙部の所定の外縁部を接着する接着剤部と、
前記外部紙部及び前記内部紙部の一部を裁断して開封するための裁断ラインと
を備えるメールフォームにおいて、
同一方向に折り返された前記連接ライン群の各前記連接ラインは、厚み方向において所定量ずれるように配置され、一方の前記連接ライン群の各前記連接ラインと他方の前記連接ライン群の各前記連接ラインは、反対方向にずれるように配置されていること
を特徴とするメールフォーム。
【請求項２】
伝達情報を表示した複数の帳票部が一方向に連接され、各連接ラインが交互に反対方向に折り返されることにより各前記帳票部が重ねられ、かつ、同一方向に折り返された連接ライン群のうち少なくとも一方の前記連接ライン群の各前記連接ラインが厚み方向において所定量ずれるように配置される内部紙部と、
前記内部紙部の前記帳票部の連接方向と同一方向に前記内部紙部に連接され、折りたたまれた前記内部紙部を覆うように折り返される外部紙部と、
前記内部紙部及び前記外部紙部の所定の外縁部を接着する接着剤部と、
前記外部紙部及び前記内部紙部の一部を裁断して開封するための裁断ラインと
を備えるメールフォームにおいて、
同一方向に折り返された前記連接ライン群の各前記連接ラインは、厚み方向において所定量ずれるように配置され、一方の前記連接ライン群の各前記連接ラインと他方の前記連接ライン群の各前記連接ラインは、同一方向にずれるように配置されていること
を特徴とするメールフォーム。
【請求項３】
請求項１又は請求項２に記載のメールフォームにおいて、前記内部紙部の少なくとも一方の面には、前記帳票部の折り返しにより互いに重なる面ごとに異なる属性を有する前記伝達情報が表示されており、前記帳票部の前記連接ラインの外縁部であって外部に露出する領域には、その帳票部に表示された前記伝達情報の属性を表すインデックスが表示されていること
を特徴とするメールフォーム。
【請求項４】
請求項３に記載のメールフォームにおいて、前記内部紙部の両面には、一方の面と他方の面とで異なる属性群を有する前記伝達情報が表示されていること
を特徴とするメールフォーム。
【請求項５】
請求項１〜請求項４のいずれか１項に記載のメールフォームにおいて、前記内部紙部には、前記メールフォームの受取人の個別の情報を印字するための個別情報印字領域を備えること
を特徴とするメールフォーム。
【請求項６】
請求項１〜請求項５のいずれか１項に記載のメールフォームにおいて、前記外部紙部において前記メールフォームの表面側となる面には、前記メールフォームの受取人の宛名を印字するための宛名情報印字領域を備えること
を特徴とするメールフォーム。
【請求項７】
請求項１〜請求項６のいずれか１項に記載のメールフォームにおいて、前記裁断ラインは、前記外部紙部において、前記内部紙部における下側の前記連接ラインが上側の前記連接ラインより外側に配置される面と重なる面に設けられていること
を特徴とするメールフォーム。
【請求項８】
請求項２〜請求項７のいずれか１項に記載のメールフォームにおいて、前記裁断ラインは、前記外部紙部において、前記内部紙部における下側の前記連接ラインが上側の前記連接ラインより外側に配置される領域と重なる領域に設けられていること
を特徴とするメールフォーム。
【請求項９】
請求項１〜請求項８のいずれか１項に記載のメールフォームにおいて、前記帳票部の一部には、前記メールフォームの受取人が使用する帳票が分離可能に設けられていること
を特徴とするメールフォーム。
【発明の詳細な説明】
【０００１】
【発明の属する技術分野】
この発明は、帳票に広告等を表示して、顧客等に送付可能な形態としたメールフォームに関するものである。
【０００２】
【従来の技術】
従来より、この種のメールフォームは、ダイレクトメール等に広く使用されている。メールフォームは、宣伝広告等を印刷した帳票と、その帳票部を封入するための封筒とから構成されている。帳票は、一般には封筒部の面積より大きく形成されており、封筒に封入可能な大きさとなるように折りたたまれる。図９及び図１０は、それぞれ、従来の帳票の折りたたみ形態の第１及び第２の例を示す図である。
【０００３】
これらの例では、帳票１０Ａ，１０Ｂの１辺（図中、縦方向の辺）の長さが封筒の幅よりやや短く形成され、他辺の長さが長く形成されたものである。そして、帳票１０Ａ，１０Ｂは、封筒に封入可能な大きさとなるように略蛇腹状に（折り返しラインを交互に反対方向に）折り返されている。図９の帳票１０Ａは、重なる部分の面積が略等しくなるように折り返されたものであり、図１０の帳票１０Ｂは、上側から下側に向かって重なる部分の面積が大きくなるように折り返されたものである。帳票１０Ａ，１０Ｂは、このように折り返された後、封筒に入れられ、封止されて、顧客等に送付される。
【０００４】
【発明が解決しようとする課題】
しかし、前述の従来のメールフォームにおいて、帳票１０Ａ，１０Ｂの少なくとも一方の面側の略全領域には、宣伝広告等が印刷されているが、図９，図１０に示すように帳票１０Ａ，１０Ｂを折り返すと、印刷内容が見にくくなるという問題があった。特に、顧客が知りたい内容は、顧客ごとに異なるが、帳票１０Ａ，１０Ｂが大きいほど、顧客が自己の知りたい内容を探すことが困難になるという問題があった。また、帳票１０Ａ，１０Ｂの封筒への封入作業が煩雑となり、さらに帳票１０Ａ，１０Ｂに顧客へのメッセージ等を印字したときは、封筒に表示する宛名等とのマッチングをとる必要があり、マッチングミスも発生しやすくなるという問題があった。
【０００５】
さらにまた、従来の第２の例の帳票１０Ｂの形態では、第１の例の帳票１０Ａの形態以上に、キャッチアイ効果を高めることができる。しかし、第２の例のように帳票１０Ｂを折り返すと、封筒への封入時に、折り返しラインが引っかかりやすくなるという問題があった。
本発明の課題は、キャッチアイ効果の高いメールフォームを、効率良く製造することにある。
【０００８】
【課題を解決するための手段】
上述の課題を解決するために、請求項１の発明は、伝達情報を表示した複数の帳票部が一方向に連接され、各連接ラインが交互に反対方向に折り返されることにより各前記帳票部が重ねられ、かつ、同一方向に折り返された連接ライン群のうち少なくとも一方の前記連接ライン群の各前記連接ラインが厚み方向において所定量ずれるように配置される内部紙部と、前記内部紙部の前記帳票部の連接方向と同一方向に前記内部紙部に連接され、折りたたまれた前記内部紙部を覆うように折り返される外部紙部と、前記内部紙部及び前記外部紙部の所定の外縁部を接着する接着剤部と、前記外部紙部及び前記内部紙部の一部を裁断して開封するための裁断ラインとを備えるメールフォームにおいて、同一方向に折り返された前記連接ライン群の各前記連接ラインは、厚み方向において所定量ずれるように配置され、一方の前記連接ライン群の各前記連接ラインと他方の前記連接ライン群の各前記連接ラインは、反対方向にずれるように配置されていることを特徴とする。
【０００９】
請求項２の発明は、伝達情報を表示した複数の帳票部が一方向に連接され、各連接ラインが交互に反対方向に折り返されることにより各前記帳票部が重ねられ、かつ、同一方向に折り返された連接ライン群のうち少なくとも一方の前記連接ライン群の各前記連接ラインが厚み方向において所定量ずれるように配置される内部紙部と、前記内部紙部の前記帳票部の連接方向と同一方向に前記内部紙部に連接され、折りたたまれた前記内部紙部を覆うように折り返される外部紙部と、前記内部紙部及び前記外部紙部の所定の外縁部を接着する接着剤部と、前記外部紙部及び前記内部紙部の一部を裁断して開封するための裁断ラインとを備えるメールフォームにおいて、同一方向に折り返された前記連接ライン群の各前記連接ラインは、厚み方向において所定量ずれるように配置され、一方の前記連接ライン群の各前記連接ラインと他方の前記連接ライン群の各前記連接ラインは、同一方向にずれるように配置されていることを特徴とする。
【００１０】
請求項３の発明は、請求項１又は請求項２に記載のメールフォームにおいて、前記内部紙部の少なくとも一方の面には、前記帳票部の折り返しにより互いに重なる面ごとに異なる属性を有する前記伝達情報が表示されており、前記帳票部の前記連接ラインの外縁部であって外部に露出する領域には、その帳票部に表示された前記伝達情報の属性を表すインデックスが表示されていることを特徴とする。
【００１１】
請求項４の発明は、請求項３に記載のメールフォームにおいて、前記内部紙部の両面には、一方の面と他方の面とで異なる属性群を有する前記伝達情報が表示されていることを特徴とする。
【００１２】
請求項５の発明は、請求項１〜請求項４のいずれか１項に記載のメールフォームにおいて、前記内部紙部には、前記メールフォームの受取人の個別の情報を印字するための個別情報印字領域を備えることを特徴とする。
【００１３】
請求項６の発明は、請求項１〜請求項５のいずれか１項に記載のメールフォームにおいて、前記外部紙部において前記メールフォームの表面側となる面には、前記メールフォームの受取人の宛名を印字するための宛名情報印字領域を備えることを特徴とする。
【００１４】
請求項７の発明は、請求項１〜請求項６のいずれか１項に記載のメールフォームにおいて、前記裁断ラインは、前記外部紙部において、前記内部紙部における下側が上側の前記連接ラインより外側に配置される面と重なる面に設けられていることを特徴とする。
【００１５】
請求項８の発明は、請求項２〜請求項７のいずれか１項に記載のメールフォームにおいて、前記裁断ラインは、前記外部紙部において、前記内部紙部における下側の前記連接ラインが上側の前記連接ラインより外側に配置される領域と重なる領域に設けられていることを特徴とする。
【００１６】
請求項９の発明は、請求項１〜請求項８のいずれか１項に記載のメールフォームにおいて、前記帳票部の一部には、前記メールフォームの受取人が使用する帳票が分離可能に設けられていることを特徴とする。
【００１７】
【発明の実施の形態】
以下、図面等を参照して、本発明の一実施形態について説明する。図１は、本発明によるメールフォームの第１の実施形態を示す図である。
メールフォーム２０は、１枚の帳票から形成されたものであり、内部紙部３０と、その内部紙部３０に連接する外部紙部４０とを備える。
内部紙部３０は、一方向に連接する複数（この実施形態では８つ）の帳票部３１（３１ａ〜３１ｈ）を有している。そして、各帳票部３１の連接ライン３２（３２ａ〜３２ｇ）が交互に反対方向に（略蛇腹状に）折り返され、帳票部３１が重ねられている。
【００１８】
この折り返しにより、同一方向に折り返された連接ライン群３２−１（３２ａ，３２ｃ，３２ｅ及び３２ｇ）、及び連接ライン群３２−２（３２ｂ，３２ｄ及び３２ｆ）の各連接ラインは、それぞれ、厚み方向において図中下側の連接ラインが図中上側の連接ラインより、所定量（図中外側に）ずれるように配置されている。すなわち、連接ライン群３２−１と３２−２との各連接ラインは、それぞれ反対方向に向かってずれるように配置され、下側に配置される帳票部３１ｈほど横幅が広くなるように形成されている。
【００１９】
そして、内部紙部３０の両面には、受取人に宣伝する広告等の情報（伝達情報）が印刷されている。ここで、折り返された連接ライン３２を開いたときの帳票部３１の重なり合った面ごとに、それぞれ異なる属性を有する広告が印刷されている。例えば、メールフォーム２０が洋服の販売に関するダイレクトメールであるときは、連接ライン３２ａを開いたときの帳票部３１ａと３１ｂとの重なり合った面には、スーツに関する広告が印刷されており、連接ライン３２ｂを開いたときの帳票部３１ｂと３１ｃとの重なり合った面には、ブレザーに関する広告が印刷されている。さらに、帳票部３１ｂの図中上面であって帳票部３１ａと重ならない領域（外部から見える領域）には、「スーツ」のような見出し（インデックス）が印刷されている。他の帳票部３１においても、その上側の帳票部３１と重ならない領域には、「ジャケット」、「スラックス」等のインデックスが表示されている。
【００２０】
外部紙部４０は、連接ライン２１により、内部紙部３０の帳票部３１ｈに連接されている。外部紙部４０は、折り返された内部紙部３０上に重ねられ、メールフォーム２０を封止するためのものである。したがって、外部紙部４０の図１中横幅は、折り返された内部紙部３０の横幅（帳票部３１ｈの横幅）より長く形成されている。外部紙部４０の図中右側外縁部には、フラップ部４１が設けられている。フラップ部４１は、折り返しライン４２から折り返し可能に形成されている。また、外部紙部４０の略中央部には、外部紙部４０の図中上辺から下辺を通り、基材を裁断可能としたミシン目４３が形成されている。ミシン目４３は、所定の間隔を隔てて２本形成され、そのラインは、略波状曲線である。
【００２１】
内部紙部３０の所定領域には、上述した広告等が印刷される。また、内部紙部３０の所定領域には、必要に応じて受取人ごとに異なる個別の情報が印字される。さらに、外部紙部４０の図１中、裏面側の所定領域、すなわちメールフォーム２０の外面側には、メールフォーム２０の受取人の宛名が印字される。
そして、内部紙部３０の連接ライン３２が図１のように折り返される。さらに、外部紙部４０と内部紙部３０との連接ライン２１が折り返される。この折り返しにより、外部紙部４０は、折り返された内部紙部３０の上部に重なるように配置される。そして、フラップ部４１が折り返しライン４２から折り返され、フラップ部４１は、内部紙部３０の帳票部３１ｈと重なる。そして、フラップ部４１と帳票部３１ｈとの密着面が接着される。
【００２２】
また、重なり合う帳票部３１同士の図中上下側外縁部、及び折り返された内部紙部３０と外部紙部４０とが重ねられたときの重なり合う図中上下側外縁部が接着される。これにより、メールフォーム２０が封止される。したがって、従来のように封筒への封入作業を行う必要がなく、効率良くメールフォーム２０を形成することができる。
【００２３】
図２は、上述のように折り返されて封止されたメールフォーム２０を示す図である。図２において、メールフォーム２０の図中上下側外縁部には、ミシン目２２が形成される。このミシン目２２は、外部紙部４０のみならず、内部紙部３０を貫通するように形成されている。また、ミシン目２２は、内部紙部３０同士及び内部紙部３０と外部紙部４０との図中上下側外縁部の接着領域の内側に形成されている。
【００２４】
メールフォーム２０は、この形態で、受取人に送付（郵送等）される。受取人は、メールフォーム２０を開封するときは、ミシン目２２を裁断する。これにより、メールフォーム２０の内部紙部３０及び外部紙部４０の図中上下側外縁部の接着された領域がメールフォーム２０から分離される。さらに、外部紙部４０のミシン目４３を裁断して、このミシン目４３により挟まれた領域をメールフォーム２０から分離する。これにより、外部紙部４０は、この位置から開くようになる。
【００２５】
図３は、以上のようにしてミシン目２２及び４３を裁断し、メールフォーム２０を開封したときの様子を示す図である。
メールフォーム２０の開封により、受取人は、内部紙部３０に印刷された広告等を見ることができるようになる。さらに、メールフォーム２０を開封したときに、帳票部３１の所定の外縁部には、インデックスが印刷されているので、受取人は、メールフォーム２０に印刷されている広告のインデックスを一覧することができ、さらに見たい部分の帳票部３１間を開けば、即座に希望する広告等を見ることができる。これにより、受取人に対するキャッチアイ効果を高めることができるとともに、メールフォーム２０の広告等を見やすくすることができる。
【００２６】
図４は、本発明によるメールフォームの第２の実施形態を示す図である。この実施形態のメールフォーム２０Ａは、内部紙部３０Ａと外部紙部４０Ａとを備える。以下の実施形態では、第１の実施形態と異なる点を主として説明する。
内部紙部３０Ａは、それぞれの連接ライン３２が交互に反対方向に折り返され、帳票部３１が重ねられている。連接ライン３２のうち、同一方向に折り返された連接ライン群３２−１及び３２−２の各連接ライン３２は、同一方向にずれるように配置されている。すなわち、連接ライン群３２−１，３２−２において、図中下側の連接ライン３２は、それぞれ、その上側の連接ライン３２より左側にずれるように配置されている。
【００２７】
内部紙部３０Ａの図４中、表面側には、例えば男性向けの広告が印刷されており、裏面側には、女性向けの広告が印刷されている。そして、各帳票部３１の連接ライン３２近傍であって外部に露出している領域には、第１の実施形態と同様に、重なり合ったその帳票部３１間に印刷された広告の内容を表すインデックスが印刷されている。
また、外部紙部４０Ａの内部紙部３０Ａとの連接ライン２１近傍には、所定間隔を隔てて２本のミシン目４４が形成されている。さらに、外部紙部４０Ａの図中右側外縁部には、フラップ部４１Ａが設けられており、このフラップ部４１Ａには、ミシン目４４と同様のミシン目４５（４５ａ及び４５ｂ）が形成されている。
【００２８】
内部紙部３０Ａが図４に示すように折り返された後、連接ライン２１が折り返されて外部紙部４０Ａが内部紙部３０Ａの図４中下側に配置される。そして、外部紙部４０Ａのフラップ部４１Ａが図４中上側に折り返され、このフラップ部４１Ａが内部紙部３０Ａの図中上側に重ねられる。そして、フラップ部４１Ａのミシン目４５ｂより外側の領域と内部紙部３０Ａとの密着面が接着される。また、第１の実施形態と同様に、内部紙部３０Ａ同士、及び内部紙部３０Ａと外部紙部４０Ａとの図４中、上下側外縁部が接着される。これにより、メールフォーム２０Ａが接着される。
【００２９】
図５は、以上のようにして封止されたメールフォーム２０Ａを示す図である。第１の実施形態と同様に、メールフォーム２０Ａの図５中、上下側外縁部の接着された領域の内側には、外部紙部４０Ａ及び内部紙部３０Ａを貫通するようにミシン目２２が形成される。
【００３０】
メールフォーム２０Ａの受取人によりミシン目２２及び４５が裁断されたときは、図６に示すようにメールフォーム２０Ａが開封され、男性向けの広告のインデックスが見えるようになる。そして、インデックスが印刷された帳票部３１とそれと重なる帳票部３１とを開けば、そのインデックスに対応する広告を見ることができる。
一方、受取人によりミシン目２２及び４４が裁断されたときは、図６中、裏面側からメールフォーム２０Ａが開封され、女性向けの広告のインデックスが見えるようになる。
【００３１】
したがって、例えば外部紙部４０Ａの表面に、男性の場合はミシン目２２及び４５を裁断して開封し、女性の場合はミシン目２２及び４４を裁断して開封する旨を表示しておけば、受取人が男性であるか女性であるかを問わず、受取人に適切な広告等を見やすい形態で提供することができる。
【００３２】
図７は、本発明によるメールフォームの第３の実施形態を示す図である。この実施形態のメールフォーム２０Ｂにおいて、内部紙部３０Ｂの外部紙部４０Ｂ側の連接ライン群３２−２の各連接ライン３２は、厚み方向において重なる位置に配置されている。一方、他方の連接ライン群３２−１（図中、左側）の各連接ライン３２は、図中、外方向にずれるように配置されている。
このように形成したときは、内部紙部３０Ｂの図中表面側には、広告等を印刷しなくても良く、あるいは、帳票部３１毎に分けずに略全領域に共通する広告等を印刷しても良い。
【００３３】
以上、本発明の一実施形態について説明したが、本発明は、上述した実施形態に限定されることなく、均等の範囲内で以下のような種々の変形が可能である。
例えば、第１の実施形態において、メールフォームの外部紙部４０を裁断するためのミシン目４３は、いかなる位置に形成しても良い。
図８は、第１の実施形態の変形例を示すメールフォーム２０Ｃを示す図である。メールフォーム２０Ｃでは、図８（ａ）に示すように、２つのミシン目４３は、折り返しライン４２の近傍に形成されている。これを第１の実施形態と同様に折り返して、封止する（図中、（ｂ））。メールフォーム２０Ｃを開封するときは、ミシン目２２を裁断し、さらに、ミシン目４３を裁断してミシン目４３に挟まれた領域を分離すれば、開封することができる。
さらにまた、第１の実施形態において、１本のミシン目のみを形成して、外部紙部４０の基材を分割するようにしても良い。また、ミシン目２２を形成せずに切断ラインを印刷等しておき、受取人がハサミ等で切断するようにしても良い。
【００３４】
また、内部紙部３０の帳票部３１の一部に、返信用葉書、申込書、来店カード、割引券等を、帳票部３１から分離可能に設けておくこともできる。
さらに、実施形態では洋服の販売に関するダイレクトメールを例にあげたが、本発明はこれに限らず、種々の商品又は役務に関する広告を表示することができる。例えば、自動車の広告である場合には、インデックスとしてミニカー、ファミリーカー、ラグジュアリーカー、スポーツカー等を表示し、そのインデックスに対応して、各帳票部に自動車の広告を表示することがあげられる。
【００３５】
【発明の効果】
本発明によれば、以下のような種々の効果がある。
（１）キャッチアイ効果を高めたメールフォームを形成することができ、同時に、封筒への封緘作業等がなく製造効率の良いメールフォームを提供することができる。
（２）内部紙部の一方の面側には、各帳票部間ごとに伝達情報を表示するとともに、他方の面側には、共通する伝達情報等を表示することができる。
（３）内部紙部の両面において各帳票部間に伝達情報を表示するときに、より多くの種類の伝達情報を表示することができる。
【００３６】
（４）内部紙部の一方の面側と他方の面側とで伝達情報を分けて表示することができるとともに、伝達情報を見やすく表示することができる。
（５）伝達情報を見る前にインデックスによりその伝達情報の属性を知ることができるので、伝達情報を見やすく表示することができる。
【００３７】
（６）伝達情報の属性をよりわかりやすく分別して表示することができる。
（７）メールフォームの形成時に、メールフォームの受取人固有の情報を併せて印字することができる。
（８）メールフォームの形成時に、メールフォームの受取人の宛名を印字することができるので、製造効率を高めることができる。
【００３８】
（９）裁断ラインを裁断したときに、内部紙部の連接ライン群が配置された部分が見えるようになるので、内部紙部に表示された伝達情報の見やすい位置に開封位置を配置することができる。
（１０）内部紙部の一方の面と他方の面とに異なる属性群の伝達情報を表示したときに、各面の連接ライン群が配置された上部に裁断ラインを配置して、内部紙部に表示された伝達情報の見やすい位置に開封位置を配置することができる。
（１１）メールフォームの形成時に、マッチングや封入作業等の必要なく、帳票部の一部に受取人が使用する帳票を併せて設けることができる。
【図面の簡単な説明】
【図１】本発明によるメールフォームの第１の実施形態を示す図である。
【図２】図１のメールフォーム２０が封止されたものを示す図である。
【図３】図２のメールフォーム２０が開封されたときの様子を示す図である。
【図４】本発明によるメールフォームの第２の実施形態を示す図である。
【図５】図４のメールフォーム２０Ａが封止されたものを示す図である。
【図６】図５のメールフォーム２０Ａが開封されたときの様子を示す図である。
【図７】本発明によるメールフォームの第３の実施形態を示す図である。
【図８】第１の実施形態の変形例を示すメールフォーム２０Ｃを示す図である。
【図９】従来の帳票の折りたたみ形態の第１の例を示す図である。
【図１０】従来の帳票の折りたたみ形態の第２の例を示す図である。
【符号の説明】
２０  メールフォーム
２１  連接ライン
３１  帳票部
３２  連接ライン
３２−１，３２−２  連接ライン群
【図１】
0003802122.tif 000002
【図２】
0003802122.tif 000003
【図３】
0003802122.tif 000004
【図４】
0003802122.tif 000005
【図５】
0003802122.tif 000006
【図６】
0003802122.tif 000007
【図７】
0003802122.tif 000008
【図８】
0003802122.tif 000009
【図９】
0003802122.tif 000010
【図１０】
0003802122.tif 000011